【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
（ｉ）（ａ）少なくとも１つの内側パイプと、
（ｂ）外側パイプであって、該少なくとも１つの内側パイプの外側表面と該外側パイプの内側表面との間に環状空間を作るように該少なくとも１つの内側パイプの周りに配置された外側パイプと、
（ｃ）多孔質で弾力性の体積圧縮性物質を含む少なくとも１つの容器と
を含み、該圧縮性物質が該容器内に拘束されかつ第１の体積を有し、該圧縮性物質の第１の体積が該圧縮性物質の拘束されていない体積よりも小さく、かつ前記少なくとも１つの容器が前記環状空間に配置されたアセンブリを用意する工程、及び
（ｉｉ）前記少なくとも１つの容器を変容させて前記圧縮性物質の拘束を減じ、該圧縮性物質の体積を前記第１の体積よりも大きい第２の体積に増加させ、それによって絶縁されたパイプ・イン・パイプ・アセンブリを形成する工程
を含む、絶縁されたパイプ・イン・パイプ・アセンブリを製造する方法。
【請求項２】
前記圧縮性物質が、疎水性物質、エアロゲル、シリカ・エアロゲル、ナノ多孔質シリカ又はファイバーを含むブランケットである、請求項１に記載の方法。
【請求項３】
前記圧縮性物質が、カーボンブラック、二酸化チタン、ケイ酸ジルコニウム及びそれらの混合物からなる群より選択された乳白剤をさらに含む、請求項１に記載の方法。
【請求項４】
前記少なくとも１つの容器を変容させる前に、追加の絶縁物質を前記環状空間に配置する工程をさらに含む、請求項１に記載の方法。
【請求項５】
前記容器が封止された容器であり、前記少なくとも１つの容器内の前記第１の体積における前記圧縮性物質が大気圧より低い減圧された圧力下にあり、前記環状空間が該少なくとも１つの容器内の該減圧された圧力よりも高い圧力を有し、該少なくとも１つの容器を変容させる工程が、該少なくとも１つの容器内の圧力を該環状空間の圧力と等化して前記圧縮性物質の体積を前記第２の体積に増加させる工程を含む、請求項１に記載の方法。
【請求項６】
少なくとも１つの追加の外側パイプを追加する工程をさらに含み、追加の環状空間が前記外側パイプの外側表面と該追加の外側パイプの内側表面との間に存在し、該追加の環状空間が、空気、多孔質で弾力性の体積圧縮性物質、エアロゲル、ブランケット、ファイバー、エアロゲルを含むブランケット、ポリウレタンフォーム、又はガラスビーズからなる群より選択される物質によって占められる、請求項１に記載の方法。
【請求項７】
請求項１に記載の方法に従って製造された絶縁されたパイプ・イン・パイプ・アセンブリ。
【請求項８】
（ａ）外側表面を有する少なくとも１つの内側パイプと、
（ｂ）該少なくとも１つの内側パイプの周りに配置された内側表面を有する外側パイプと、
（ｃ）該外側パイプの内側表面と該少なくとも１つの内側パイプの外側表面との間の環状空間と、
（ｄ）該環状空間に配置された多孔質で弾力性の圧縮性物質と、
（ｅ）先に前記環状空間に配置されており、該環状空間にある前記圧縮性物質の体積よりも小さい体積で該圧縮性物質を先に保持していた少なくとも１つの容器の残部と
を含む、絶縁されたパイプ・イン・パイプ・アセンブリ。
【請求項９】
前記圧縮性物質が、カーボンブラック、二酸化チタン、ケイ酸ジルコニウム及びそれらの混合物からなる群より選択された乳白剤をさらに含む、請求項８に記載の絶縁されたパイプ・イン・パイプ・アセンブリ。
【請求項１０】
追加の絶縁物質をさらに含む、請求項８に記載の絶縁されたパイプ・イン・パイプ・アセンブリ。
【請求項１１】
（ａ）外側表面を有する少なくとも１つの内側パイプと、
（ｂ）該少なくとも１つの内側パイプの周りに配置された内側表面を有する外側パイプと、
（ｃ）該外側パイプの内側表面と該少なくとも１つの内側パイプの外側表面との間の環状空間と、
（ｄ）該環状空間に配置されたナノ多孔質シリカと
を含み、該ナノ多孔質シリカが８０ｋｇ／ｍ3〜約１４０ｋｇ／ｍ3の密度を有し、かつ約０℃の表面と約２５℃の表面との間で測定した場合に２０ｍＷ／ｍ・Ｋ以下の熱伝導度を有する、絶縁されたパイプ・イン・パイプ・アセンブリ。
【請求項１２】
前記環状空間に配置された乳白剤をさらに含み、該乳白剤が、カーボンブラック、二酸化チタン、ケイ酸ジルコニウム及びそれらの混合物からなる群より選択される、請求項１１に記載の絶縁されたパイプ・イン・パイプ・アセンブリ。
【請求項１３】
前記内側パイプの外側表面と前記外側パイプの内側表面との間に配置された追加の絶縁物質をさらに含む、請求項１１に記載の絶縁されたパイプ・イン・パイプ・アセンブリ。
【請求項１４】
（ａ）外側表面を有する少なくとも１つの内側パイプと、
（ｂ）該少なくとも１つの内側パイプの周りに配置された内側表面を有する外側パイプと、
（ｃ）該外側パイプの内側表面と該少なくとも１つの内側パイプの外側表面との間の環状空間と、
（ｄ）該環状空間に配置された、圧縮された多孔質で弾力性の圧縮性物質を含む少なくとも１つの容器と、
（ｅ）該少なくとも１つの容器と前記外側パイプの内側表面との間の空き空間と
を含む、絶縁されたパイプ・イン・パイプ・アセンブリ。
【請求項１５】
セントラライザー又はスペーサーをさらに含む、請求項１４に記載の絶縁されたパイプ・イン・パイプ・アセンブリ。
【請求項１６】
前記圧縮性物質がエアロゲルを含む、請求項１４に記載の絶縁されたパイプ・イン・パイプ・アセンブリ。
【請求項１７】
前記容器が、先に前記環状空間に配置されかつ該環状空間にある前記圧縮性物質の体積よりも小さい体積で該圧縮性物質を先に保持していた容器の残部をさらに含む、請求項１４に記載の絶縁されたパイプ・イン・パイプ・アセンブリ。
【請求項１８】
内側パイプ、外側パイプ及びそれらの間の絶縁体を含み、該絶縁体が該内側パイプと該外側パイプとの間で１つ又は複数の長手方向又は半径方向の荷重伝達を提供し、該絶縁体が該内側パイプ又は該外側パイプに接着結合されていない、絶縁されたパイプ・イン・パイプ・システム。
【請求項１９】
（ａ）外側表面を有する少なくとも１つの内側パイプと、
（ｂ）圧縮された多孔質で弾力性の圧縮性物質を含み、該少なくとも１つの内側パイプに取り付けられた少なくとも１つの容器と、
（ｃ）該少なくとも１つの容器上に設けられた外側パイプであって、該外側パイプの内側表面と該少なくとも１つの容器の内側表面とが部分的又は完全に直接接触するようにされた外側パイプと
を含む、絶縁されたパイプ・イン・パイプ・アセンブリ。
【請求項２０】
（ａ）外側表面を有する少なくとも１つの内側パイプと、
（ｂ）該少なくとも１つの内側パイプの周りに配置された内側表面を有する外側パイプと、
（ｃ）該外側パイプの内側表面と該少なくとも１つの内側パイプの外側表面との間の環状空間と、
（ｄ）圧縮された多孔質で弾力性の圧縮性物質を含む少なくとも１つの容器であって、前記環状空間に配置され、スリーブ内に部分的又は完全に入れられた少なくとも１つの容器と
を含む、絶縁されたパイプ・イン・パイプ・アセンブリ。
【請求項２１】
（ａ）外側表面を有する少なくとも１つの内側パイプと、
（ｂ）該少なくとも１つの内側パイプの周りに配置された内側表面を有する外側パイプと、
（ｃ）該外側パイプの内側表面と該少なくとも１つの内側パイプの外側表面との間の環状空間と、
（ｄ）圧縮された多孔質で弾力性の圧縮性物質を含む少なくとも１つの容器であって、前記環状空間に配置され、スリーブが該容器と該圧縮性物質との間に配置された少なくとも１つの容器と
を含む、絶縁されたパイプ・イン・パイプ・アセンブリ。
【請求項２２】
前記環状空間に配置された追加の絶縁物質をさらに含む、請求項１９、２０又は２１のいずれか１項に記載の絶縁されたパイプ・イン・パイプ・アセンブリ。